(57)【特許請求の範囲】
【請求項１】
床板とこの床板よりも厚い畳体との境界部分に沿って配設される見切具であって、
前記床板と前記畳体との間の床下地に固定される見切受部材と、この見切受部材に嵌合して取り付けられ、該見切受部材を覆う見切カバー部材と、を備え、
前記見切受部材は、上方に開口する溝状部を形成するように幅方向に間隔を空けて立ち上がる一対の立上壁部を有し、これら一対の立上壁部のうちの畳体側の立上壁部の畳体側に、当該見切受部材の下端縁部から畳体側に向けて突出するように突片部を設けた構成とされ、かつ、この突片部の突出方向先端面が前記畳体の側端面に対面して配設される対面部とされており、
前記見切カバー部材は、前記床板の側端部上面を覆うように配設される鍔状部と、前記見切受部材の突片部に対応させて畳体側に向けて延出するとともに該突片部の上面に向けて垂れ下がる垂下片部と、前記見切受部材の溝状部に挿入されて嵌合する係合突片部と、を有し、前記垂下片部が前記見切受部材の前記畳体側の立上壁部と前記突片部と前記畳体とによって形成される凹溝に嵌め込まれるように挿入され、かつ、この垂下片部と前記係合突片部とによって前記畳体側の立上壁部を挟むように前記見切受部材に係合する構成とされ、当該見切カバー部材の上面が前記畳体の上面と略面一となるように配設されることを特徴とする見切具。
【請求項２】
請求項１において、
前記見切カバー部材の前記鍔状部の上面は、前記床板の上面に向けて降るように傾斜する傾斜面とされていることを特徴とする見切具。
【請求項３】
請求項１または２において、
前記見切カバー部材の畳体側の上面側縁部は、突湾曲面形状とされていることを特徴とする見切具。
【発明の詳細な説明】
【技術分野】
【０００１】
本発明は、床板と畳との境界部分に沿って配設される見切具に関する。
【背景技術】
【０００２】
従来より、床下地にそれぞれ設置される畳と床板（フローリング材）との境界部分に沿って配設される見切材が知られている。
例えば、下記特許文献１では、床下地上に設置された畳の周辺に配設される見切材が提案されている。この見切材は、床下地に固定される下側部材と、この下側部材を覆う上側部材とが組み合わされてなり、組み合わされた際に畳及び周辺部材（床板）と略面一な高さとなるとともに断面形状が長方形となる構成とされている。
【先行技術文献】
【特許文献】
【０００３】
【特許文献１】特開２００６−２４１７０４号公報
【発明の概要】
【発明が解決しようとする課題】
【０００４】
しかしながら、上記特許文献１に記載された見切材では、組み合わされた際に畳及び床板と略面一な高さとなる構成とされているため、加工誤差や施工誤差等に起因して床板と見切材の上側部材との間に隙間が生じることが考えられる。また、畳は床板よりも厚さ寸法が大きい場合があり、このような場合には、畳の側端面が露出し、見栄えが悪いという問題があった。
【０００５】
本発明は、上記実情に鑑みてなされたものであり、床板とこの床板よりも厚い畳体との境界部分を見栄え良く納め得る見切具を提供することを目的としている。
【課題を解決するための手段】
【０００６】
上記目的を達成するために、本発明に係る見切具は、床板とこの床板よりも厚い畳体との境界部分に沿って配設される見切具であって、前記床板と前記畳体との間の床下地に固定される見切受部材と、この見切受部材に嵌合して取り付けられ、該見切受部材を覆う見切カバー部材と、を備え、前記見切受部材は、上方に開口する溝状部を形成するように幅方向に間隔を空けて立ち上がる一対の立上壁部を有し、これら一対の立上壁部のうちの畳体側の立上壁部の畳体側に、当該見切受部材の下端縁部から畳体側に向けて突出するように突片部を設けた構成とされ、かつ、この突片部の突出方向先端面が前記畳体の側端面に対面して配設される対面部とされており、前記見切カバー部材は、前記床板の側端部上面を覆うように配設される鍔状部と、前記見切受部材の突片部に対応させて畳体側に向けて延出するとともに該突片部の上面に向けて垂れ下がる垂下片部と、前記見切受部材の溝状部に挿入されて嵌合する係合突片部と、を有し、前記垂下片部が前記見切受部材の前記畳体側の立上壁部と前記突片部と前記畳体とによって形成される凹溝に嵌め込まれるように挿入され、かつ、この垂下片部と前記係合突片部とによって前記畳体側の立上壁部を挟むように前記見切受部材に係合する構成とされ、当該見切カバー部材の上面が前記畳体の上面と略面一となるように配設されることを特徴とする。
【０００７】
本発明においては、前記見切カバー部材の前記鍔状部の上面を、前記床板の上面に向けて降るように傾斜する傾斜面としてもよい。
また、本発明においては、前記見切カバー部材の畳体側の上面側縁部を、突湾曲面形状としてもよい。
【発明の効果】
【０００８】
本発明に係る見切具は、上述のような構成としたことで、床板とこの床板よりも厚い畳体との境界部分を見栄え良く納めることができる。
【図面の簡単な説明】
【０００９】
【図１】（ａ）、（ｂ）は、いずれも本発明の一実施形態に係る見切具の一例を模式的に示し、（ａ）は、図２におけるＸ−Ｘ線矢視に対応させた一部破断概略拡大縦断面図、（ｂ）は、（ａ）に対応させて一部を分解した状態を示す一部破断概略拡大縦断面図である。
【図２】同見切具を用いて床板と畳体との境界部分を納めた状態を模式的に示す概略平面図である。
【発明を実施するための形態】
【００１０】
以下に本発明の実施の形態について、図面に基づいて説明する。
なお、以下の実施形態では、見切具が施工された状態を基準として、上下方向等の方向を原則的に説明する。
【００１１】
図１及び図２は、本実施形態に係る見切具の一例を模式的に示す図である。
本実施形態に係る見切具１は、図２に示すように、床板４と畳体５との境界部分に沿って配設される。
本実施形態では、少なくとも一角部５ｃを形成するように室内床の一部に畳体５を配設し、畳体５の外周に沿わせるようにして床板４を配設した例を示している。図例では、複数枚の畳体５の最外周の隣接する二側部を建物内の隣接する二壁面８，８に沿わせるようにして配設し、これら複数枚の畳体５の最外周の他の二側部に沿わせるようにして床板４を配設して室内床の一部に畳コーナーを形成した例を示している。
【００１２】
なお、図例では、複数枚の畳体５として、九枚の半帖畳を例示しているが、このような枚数に限られず、また、一帖畳としてもよいが、複数枚の畳体５によって室内床の一部に形成される畳コーナーの平面視における形状が矩形状となるように配設することが好ましい。また、畳体５の配設態様としては、図例のように、単一の角部（一角部）５ｃを形成するように室内床の一部に畳体５を配設する態様に限られない。例えば、複数枚の畳体５の最外周を壁面に沿わせずに、その四周側部の全周に亘って沿わせるようにして床板４を配設する態様としてもよい。この場合は、畳体５によって四つの角部が形成されることとなる。または、複数枚の畳体５の最外周の一側部を建物内の一壁面に沿わせるようにして配設してもよい。この場合は、残余の三側部に沿わせるようにして床板４を配設すればよく、また、畳体５によって二つの角部が形成されることとなる。さらには、複数枚の畳体５の最外周の三側部を建物内の三壁面に沿わせるようにして配設し、残余の一側部に沿わせるようにして床板４を配設するようにしてもよい。また、このような畳体５の配設態様に応じた本数の本実施形態に係る見切具１を、畳体５と床板４との境界部分に沿って配設するようにすればよい。また、壁面８と畳体５との境界部分には、畳寄等を配設するようにしてもよい。
【００１３】
床板４は、無垢木材からなる床材や木質系材料等からなる平板状部材を積層した積層床材（積層フローリング）等からなり、図１に示すように、室内床の床下地２上に配設される。
畳体５は、本実施形態では、いわゆる薄畳を例示しており、図１に示すように、室内床の床下地２上に配設される。また、この畳体５は、図１に示すように、床板４よりも厚い寸法とされている。この畳体５の厚さ寸法は、１５ｍｍ〜２０ｍｍ程度としてもよく、床板４の厚さ寸法は、１２ｍｍ〜１５ｍｍ程度としてもよい。図例では、畳体５の厚さ寸法を１５ｍｍとし、床板４の厚さ寸法を１２ｍｍとした例を示している。
【００１４】
本実施形態では、図２に示すように、複数枚の畳体５の最外周の一角部５ｃに向けて二本の見切具１，１を畳体５の最外周の側部にそれぞれ沿わせて配設した例を示している。これら見切具１，１は、長尺状体とされ、床板４と畳体５との境界部分の長さ寸法にそれぞれ応じた長さ寸法とされている。
この見切具１は、図１に示すように、床板４と畳体５との間の床下地２に固定される見切受部材２０と、この見切受部材２０を覆う見切カバー部材１０と、を備えている。見切カバー部材１０は、見切受部材２０に嵌合して取り付けられる構造とされており、これら見切カバー部材１０及び見切受部材２０には、互いに嵌合する嵌合部１４，２３が設けられている。
【００１５】
見切受部材２０は、床下地２に固定される略平板状の固定片部２１と、上方に開口する嵌合部としての溝状部２３を形成するように幅方向に間隔を空けて固定片部２１から立ち上がる一対の立上壁部２２，２２と、を有している。見切受部材２０は、これら固定片部２１と一対の立上壁部２２，２２とによって上方に向けて開口する断面略コ字状（略Ｕ字状または略Ｃ字状）とされている。
固定片部２１の上面（溝状部２３の溝底面）の幅方向略中央部位には、略Ｖ字状の細凹溝２４が長手方向に沿って形成されている。このような細凹溝２４を設けることで、当該見切受部材２０を床下地２に固定する際に、釘やタッカー、ステイプル、ねじ等の固定止具９の誘いや目印とすることができ、施工性を向上させることができる。
【００１６】
一対の立上壁部２２，２２の互いに向き合う各対向面（溝状部２３の各内側面）には、係止部として、互いに向き合う方向に突出する係止突条が長手方向に沿って形成されている。図例では、これら立上壁部２２，２２の各対向面のそれぞれに一条の係止突条を設けた例を示している。見切受部材２０は、これら立上壁部２２，２２の立上方向先端面（上端面）が床板４の上面４ａと略同一平面状となるように形成されている。また、これら一対の立上壁部２２，２２のうちの床板４側の立上壁部２２の床板４側の側面及び固定片部２１の床板４側の端面は、同一平面とされ、床板４の側端面４ｂに対面して配設される床板側対面部となる。この床板側対面部に、床板４の側端面４ｂが当接または近接して配設される。
【００１７】
また、見切受部材２０は、畳体５側に設けられ、畳体５の側端面５ｂに対面して配設される対面部２６を有している。本実施形態では、見切受部材２０の対面部２６を、当該見切受部材２０の下端縁部（固定片部２１の畳体５側の端部）から畳体５側に向けて突出するように形成された突片部２５の突出方向先端面としている。この突片部２５は、一対の立上壁部２２，２２のうちの畳体５側の立上壁部２２の畳体５側に設けられている。この突片部２５の対面部２６に、畳体５の側端面５ｂが当接または近接して配設される。
見切受部材２０は、この突片部２５と、上記した固定片部２１及び一対の立上壁部２２，２２とによって断面略Ｆ字状とされている。
【００１８】
この見切受部材２０は、床下地２上に配設され、幅方向両側に床板４及び畳体５が配設された状態では、図１（ｂ）に示すように、溝状部２３に加えて、畳体５側の立上壁部２２と突片部２５と畳体５とによって上方に向けて開口する凹溝を形成する構成とされている。
また、この見切受部材２０の幅寸法は、床板４と畳体５との境界部分を見切る見切材としての見栄えや施工性、取り扱い性等の観点から、例えば、１０ｍｍ〜５０ｍｍ程度としてもよく、図例では、２０ｍｍ程度とした例を示している。
【００１９】
見切カバー部材１０は、見切受部材２０を覆う略平板状の受カバー部１１と、床板４側に設けられ、床板４の側端部上面４ｃを覆うように配設される鍔状部１２と、を有している。この見切カバー部材１０は、その上面となる受カバー部１１の上面１１ａが畳体５の上面５ａと略面一となるように配設される。本実施形態では、当該見切カバー部材１０が施工された状態で、受カバー部１１の上面１１ａと畳体５の上面５ａとが完全な面一とはならずにこれらの間に僅かな段差が形成されるように受カバー部１１を形成している。図例では、当該見切カバー部材１０が施工された状態で、受カバー部１１の上面１１ａが畳体５の上面５ａよりも僅かに上方位置となるように受カバー部１１を形成した例を示している。
【００２０】
受カバー部１１の上面１１ａと畳体５の上面５ａとの段差寸法としては、見栄えやバリアフリー性等の観点から、５ｍｍ以下程度、好ましくは３ｍｍ以下程度としてもよく、この程度の段差を含んで略面一としている。なお、受カバー部１１を、その上面１１ａが畳体５の上面５ａよりも僅かに下方位置となるように形成してもよく、また、受カバー部１１の上面１１ａと畳体５の上面５ａとが完全な面一となるように形成してもよい。
受カバー部１１の厚さ寸法は、床板４と畳体５との厚さ寸法の差異に応じた寸法とされており、本実施形態では、受カバー部１１の厚さ寸法を、床板４と畳体５との厚さ寸法の差異に上記段差寸法を加味した厚さ寸法としている。この受カバー部１１の厚さ寸法は、床板４と畳体５との厚さ寸法の差異や上記段差寸法にもよるが、見栄えやバリアフリー性等の観点から、１０ｍｍ以下程度、好ましくは５ｍｍ以下程度としてもよく、図例では、５ｍｍ程度とした例を示している。
【００２１】
また、本実施形態では、見切カバー部材１０（受カバー部１１）の畳体５側の上面側縁部１１ｂを、突湾曲面形状とした突湾曲面部１１ｂとしている。畳体５は、床板４と比べて柔軟性があり、踏んだ際に僅かに沈み込むことが考えられ、見切カバー部材１０の畳体５側の上面側縁部を角張った形状とすれば、当該部位を踏んだ際に不快感が生じることも考えられるが、上記構成とすることで、このような不快感を低減させることができる。
なお、図例では、突湾曲面部１１ｂを、上記した受カバー部１１の上面１１ａと畳体５の上面５ａとの段差寸法に概ね応じた半径のＲ面取り形状とした例を示しているが、突湾曲面形状であれば、どのような形状としてもよい。例えば、この突湾曲面部１１ｂを、上記段差寸法よりも小さい半径のＲ面取り形状としてもよい。また、このような突湾曲面部１１ｂを設けないようにしてもよい。
【００２２】
鍔状部１２は、その下面が床板４の側端部上面４ｃに近接または当接するようにして対面して配設される。この鍔状部１２の幅寸法は、床板４の側端部上面４ｃを覆い得る寸法とすればよい。この鍔状部１２の幅寸法としては、床板４や当該見切具１の施工誤差、床板４の側端面４ｂの加工誤差等に起因して床板４との間に生じる場合がある隙間を確実に覆い隠す観点や、見栄え等の観点から、２ｍｍ〜１０ｍｍ程度としてもよい。図例では、鍔状部１２の幅寸法を、５ｍｍ程度とした例を示している。
また、本実施形態では、鍔状部１２の上面１２ａを、床板４の上面４ａに向けて降るように傾斜する傾斜面１２ａとしている。このような構成とすることで、床板４とその側端部上面４ｃを覆うように配設される鍔状部１２の先端部（幅方向外方側端部）との段差を比較的に小さくすることができ、躓きや引っ掛かり等を抑制することができる。
なお、図例では、傾斜面１２ａを、見栄えや踏んだ際の感触を滑らかにする等の観点から突湾曲面とした例を示しているが、床板４の上面４ａに向けて降るように傾斜する形状であれば、どのような形状としてもよい。例えば、この傾斜面１２ａを、略平坦面としてもよく、または、凹湾曲面としてもよい。さらには、このような傾斜面１２ａを設けないようにしてもよい。
【００２３】
また、本実施形態では、見切カバー部材１０の畳体５側に、見切受部材２０の突片部２５に対応させて畳体５側に向けて延出するとともに突片部２５の上面に向けて垂れ下がる垂下片部１３を設けている。つまり、見切カバー部材１０の鍔状部１２を除いた幅寸法が見切受部材２０の突片部２５を含む幅寸法と略同寸法となるように、受カバー部１１を畳体５側に向けて延出させるようにして垂下片部１３を設けている。この垂下片部１３は、上記した畳体５側の立上壁部２２と突片部２５と畳体５とによって形成される凹溝に嵌め込まれるようにして挿入される。
【００２４】
また、この垂下片部１３の畳体５側の側面は、当該見切カバー部材１０が見切受部材２０に取り付けられた状態で、見切受部材２０の突片部２５の対面部２６と略同一平面状となるように配設される。つまり、この垂下片部１３の畳体５側の側面が、畳体５の側端面５ｂに当接または近接して対面配置される見切カバー部材１０の畳体５側の対面部となる。
また、垂下片部１３の下端面は、当該見切カバー部材１０が見切受部材２０に取り付けられた状態で、見切受部材２０の突片部２５の上面に当接または近接して配設される。
【００２５】
また、本実施形態では、見切カバー部材１０に、見切受部材２０の溝状部２３に挿入されて嵌合する嵌合部としての係合突片部１４を設けている。この係合突片部１４は、受カバー部１１の下面から下方に向けて突出し、当該見切カバー部材１０の長手方向に沿って形成されている。本実施形態では、この係合突片部１４と、垂下片部１３とによって下方に向けて開口する凹溝が形成される構成としている。見切カバー部材１０は、この凹溝に見切受部材２０の畳体５側の立上壁部２２を受け入れるようにして係合突片部１４と垂下片部１３とによって見切受部材２０の畳体５側の立上壁部２２を挟むように見切受部材２０に係合する構成とされている。
【００２６】
この係合突片部１４の突出寸法は、当該見切カバー部材１０が見切受部材２０に取り付けられて受カバー部１１の下面が両立上壁部２２，２２の上端面に当接した状態で、溝状部２３の底面に当接しないように溝状部２３の深さ寸法よりも小さく形成されている。また、この係合突片部１４の幅方向外側面には、見切受部材２０の溝状部２３の内側面に設けられた係止突条に係止される被係止部が設けられている。図例では、被係止部として、幅方向外方側に向けて突出し、長手方向に沿って形成された複数本の係止突条を例示している。このように見切受部材２０及び見切カバー部材１０のそれぞれに互いに係止する係止部及び被係止部を設けることで、見切カバー部材１０を見切受部材２０に比較的に強固に取り付けることができる。
また、この係合突片部１４の突出方向先端部は、見切受部材２０の溝状部２３にスムーズに挿入が可能となるように先細り状のテーパー形状とされている。
【００２７】
また、本実施形態では、係合突片部１４を、受カバー部１１の下面に幅方向に間隔を空けて設けられた一対のリブ状片部１４，１４とした例を示している。このように係合突片部を一対のリブ状片部１４，１４からなるものとすることで、これらの間の間隔を、これらリブ状片部１４，１４の互いに近接する方向への弾性変形を許容するスペースとすることができる。従って、見切受部材２０に見切カバー部材１０を取り付ける際には、これらリブ状片部１４，１４の変形を伴ってこれらリブ状片部１４，１４を見切受部材２０の溝状部２３にスムーズに嵌め入れることができ、比較的にスムーズに取り付けることが可能となる。なお、係合突片部としては、一対のリブ状片部１４，１４からなるものに限られず、単一のものとしてもよい。また、見切カバー部材１０の長手方向に沿って、その全長に亘って一連に係合突片部１４を設ける態様に限られず、長手方向に沿って間隔を空けて複数箇所に係合突片部１４を設ける態様としてもよい。
【００２８】
なお、上記した見切受部材２０及び見切カバー部材１０は、木質系材料から切削加工等によって一体的に上記形状にそれぞれ成形されたものとしてもよく、合成樹脂系材料から押出成形や射出成形、切削加工等によって一体的に上記形状にそれぞれ成形されたものとしてもよい。また、これら見切受部材２０及び見切カバー部材１０のそれぞれを、合成樹脂系材料に、木粉や無機フィラー、相溶化剤、着色剤などを所定の含有割合で含有させた木粉（木質）・プラスチック複合材（ＷＰＣ）からなるものとしてもよい。さらには、これら見切受部材２０及び見切カバー部材１０のそれぞれを、金属系材料からなるものとしてもよい。また、これら見切受部材２０及び見切カバー部材１０のそれぞれを、同質系材料から形成する態様に限られない。例えば、見切カバー部材１０を剛性等の観点から金属系材料からなるものとしたり、質感等の観点から木質系材料やＷＰＣからなるものとしたりし、見切受部材２０を成形性や取り扱い性、組付性等の観点から合成樹脂系材料やＷＰＣからなるものとしたりしてもよい。
【００２９】
次に、上記構成とされた見切具１を用いた床板４と畳体５との境界部分の見切構造の施工手順の一例について簡単に説明する。
床板４が床下地２上に畳体５よりも先に施工されている場合には、床板４の側端面４ｂに、見切受部材２０の上記床板側対面部を突き付けるようにして当接させて床下地２上に配設する。そして、見切受部材２０の固定片部２１を介して固定止具９を床下地２に捩じ込み（または打ち込み）、見切受部材２０を床下地２に固定する。なお、見切受部材２０の床下地２への固定は、固定止具９による固定に代えて、または加えて、粘着テープ等の粘着材や接着剤によって固定するようにしてもよい。
次いで、畳体５の側端面５ｂを、見切受部材２０の畳体５側の対面部２６に突き付けるようにして当接させて床下地２上に配設し、また、見切カバー部材１０を見切受部材２０に取り付けるようにしてもよい。見切カバー部材１０の見切受部材２０への取付は、互いの嵌合部１４，２３による嵌合に加えて、接着剤等を併用するようにしてもよい。
【００３０】
一方、畳体５が床下地２上に床板４よりも先に施工されている場合には、上記とは概ね逆に、畳体５の側端面５ｂに、見切受部材２０の畳体５側の対面部２６を突き付けるようにして当接させて床下地２上に配設し、上記同様にして見切受部材２０を床下地２に固定する。次いで、床板４の側端面４ｂを、見切受部材２０の上記床板側対面部に突き付けるようにして当接させて床下地２上に配設し、見切カバー部材１０を見切受部材２０に取り付けるようにしてもよい。
なお、上述のように、一角部５ｃを形成するように室内床の一部に畳体５を配設した場合には、一角部５ｃに向けて配設される各見切具１，１の一角部側端部を略４５度に切断し、これらの一角部側端部同士を突き合わせるようにして留継状に納める態様としてもよい。
【００３１】
上記構成とされた本実施形態に係る見切具１によれば、床板４とこの床板４よりも厚い畳体５との境界部分を見栄え良く納めることができる。つまり、見切具１は、床下地２に固定される見切受部材２０と、この見切受部材２０を覆う見切カバー部材１０とを備えている。従って、釘やねじ等の固定止具９によって見切受部材２０を固定した場合にもこの見切受部材２０が見切カバー部材１０で覆われるので固定止具９が露出せず、見栄えを向上させることができる。
また、見切カバー部材１０に、床板４の側端部上面４ｃを覆うように配設される鍔状部１２を設けている。従って、床板４や当該見切具１の施工誤差、床板４の側端面４ｂの加工誤差等に起因して床板４との間に隙間が形成されるような場合にも該隙間を覆い隠すことができ、見栄えを向上させることができる。また、これにより、床板４の畳体５側の側端部の加工を高精度に行う必要性が低減され、施工作業の効率化を図ることができる。
また、見切カバー部材１０の上面１１ａが畳体５の上面５ａと略面一となるように配設されるので、畳体５の側端面５ｂが大きく露出するようなことがなく、見栄えを向上させることができる。なお、見切カバー部材１０の畳体５側に、畳体５の側端部上面を覆う鍔状部を設けることも考えられるが、畳体５は、比較的に柔軟であるので、該鍔状部が踏まれること等によって変形したり、損傷したりすることも考えられる。また、畳縁を有した畳体５である場合には、床板４との境界部分の畳縁の一部分等が覆われてしまい、他の部位の畳縁との違和感が生じることも考えられる。上記構成によれば、このような問題を生じさせることなく見栄え良く納めることができる。
【００３２】
また、見切受部材２０に、畳体５の側端面５ｂに対面して配設される対面部２６を設けているので、上述のように、この対面部２６と畳体５の側端面５ｂとを突き合わせるようにして施工することができ、施工性を向上させることができる。
また、本実施形態では、見切受部材２０に、床板４の側端面４ｂに対面して配設される上記床板側対面部を設けているので、上述のように、この床板側対面部と床板４の側端面４ｂとを突き合わせるようにして施工することができ、施工性を向上させることができる。
また、これらを施工した後に、見切受部材２０を覆う見切カバー部材１０を、見切受部材２０に嵌合して取り付けることができ、施工性を向上させることができる。なお、床板４の側端部上面４ｃを覆う鍔状部１２を見切カバー部材１０に設けているので、見切受部材２０に床板４の側端面４ｂと突き合わせられる床板側対面部を設けないようにしてもよい。
【００３３】
さらに、本実施形態では、見切受部材２０に突片部２５を設け、見切カバー部材１０に垂下片部１３を設けている。従って、例えば、見切カバー部材１０の畳体５側に見切受部材２０の突片部２５に対応させた延出片のみを設けた場合と比べて、当該部位の浮きや変形等を抑制することができる。特に、本実施形態では、見切カバー部材１０が見切受部材２０に取り付けられた状態で、垂下片部１３の下端面が見切受部材２０の突片部２５の上面に当接または近接して配設される構成としているので、上記のような浮きや変形等をより効果的に抑制することができる。
【００３４】
さらにまた、本実施形態では、見切受部材２０に、溝状部２３を形成する一対の立上壁部２２，２２を設け、畳体５側の立上壁部２２の畳体５側に突片部２５を設け、見切カバー部材１０に、溝状部２３に挿入されて嵌合する係合突片部１４を設けている。従って、見切受部材２０の溝状部２３に見切カバー部材１０の係合突片部１４を挿入して嵌合させることで見切カバー部材１０を見切受部材２０に容易に取り付けることができる。また、見切カバー部材１０の係合突片部１４と垂下片部１３とが見切受部材２０の畳体５側の立上壁部２２を挟むようにしてこの立上壁部２２に係合するので、見切カバー部材１０の取付強度を向上させることができる。つまり、見切カバー部材１０の係合突片部１４及び垂下片部１３と見切受部材２０の溝状部２３及び畳体５側の立上壁部２２とが噛み合うように係合することとなり、見切カバー部材１０の取付強度を向上させることができる。
【００３５】
なお、本実施形態では、見切受部材２０に溝状部２３を設け、見切カバー部材１０に係合突片部１４を設けた例を示しているが、このような態様に限られない。例えば、見切受部材２０の幅方向両側に上記同様の突片部を設け、その中央部位等に上方に向けて突出する係合突片部を設け、見切カバー部材１０に、この係合突片部に嵌合する溝状部を形成するように幅方向に間隔を空けて一対の垂下片部を設けるようにしてもよい。この場合は、見切受部材２０の突片部を固定片部として把握するようにしてもよい。
また、本実施形態では、見切受部材２０に突片部２５を設け、見切カバー部材１０に垂下片部１３を設けた例を示しているが、このような態様に代えて、見切カバー部材１０に、突片部２５に対応させて畳体５側に延出する延出片を設けた態様としてもよい。さらには、このような見切カバー部材１０の垂下片部１３や延出片及び見切受部材２０の突片部２５を設けないようにしてもよい。この場合は、見切受部材２０の畳体５側の立上壁部２２の畳体５側の側面及び見切カバー部材１０の受カバー部１１の畳体５側の側端面を、それぞれ畳体５側の対面部として把握するようにしてもよい。
【符号の説明】
【００３６】
１        見切具
１０      見切カバー部材
１１ａ    受カバー部の上面（見切カバー部材の上面）
１１ｂ    突湾曲面部（畳体側の上面側縁部）
１２      鍔状部
１２ａ    傾斜面
１３      垂下片部
１４      係合突片部
２０      見切受部材
２２      立上壁部
２３      溝状部
２５      突片部
２６      対面部
２        床下地
４        床板
４ａ      上面
４ｃ      側端部上面
５        畳体
５ａ      上面
５ｂ      側端面
【図１】
0005877340.tif 000002
【図２】
0005877340.tif 000003